(57)【要約】【課題】乗員の車酔いの発生を抑制することを目的とする。【解決手段】車両の周辺情報及び車両の状態を各々検出する通信制御部１２、外部センサ１４、ＧＰＳ受信部１６、及び内部センサ１８と、地図情報を格納する地図データベース２０と、周辺情報と地図情報とに基づいて、予め設定された目標ルートに沿った走行計画を生成し、車両が自立走行するよう運転を制御する自動運転制御ＥＣＵ２６と、車両の状態等の各種情報を表示するＨＭＩ２８と、を備え、自動運転制御ＥＣＵ２６が、走行計画に基づいて予め定めた時間後に車両に発生する加速度を予測して表示するようＨＭＩ２８を制御し、予め定めた時間よりも短い時間内に加速度が発生することが予測された場合に、予め定めた時間後に加速度を表示する表示方法とは異なる方法で予測結果を表示するようＨＭＩ２８を制御する。【選択図】図１
2017076232.tif 000002
【特許請求の範囲】
【請求項１】
車両の周辺情報及び車両の状態を各々検出する複数の検出部と、
地図情報を格納する格納部と、
前記検出部によって検出された前記周辺情報と前記格納部に格納された地図情報とに基づいて、予め設定された目標ルートに沿った走行計画を生成し、生成した前記走行計画に従って車両が自立走行するよう運転を制御する運転制御部と、
車両の状態を乗員に報知する報知部と、
前記走行計画に基づいて、予め定めた時間後に車両に発生する車両前後方向加速度、車両左右方向加速度、及び車両上下方向加速度を車両の状態として予測し、予測結果を報知するよう前記報知部を制御し、前記予め定めた時間よりも短い時間内に加速度が発生することが予測された場合に、前記予め定めた時間後に加速度を報知する報知方法とは異なる方法で前記予測結果を報知するよう前記報知部を制御する制御部と、
を備えた車両用報知装置。
【発明の詳細な説明】
【技術分野】
【０００１】
本発明は、車両に搭載されて各種情報を報知する車両用報知装置に関する。
【背景技術】
【０００２】
特許文献１では、予め設定された走行計画に従って自動運転走行可能な自動運転車両において、車両の搭乗者の車酔い状態を検出し、その搭乗者の車酔い状態に応じて自動運転制御を実行することが提案されている。これにより、車両の搭乗者の車酔いを低減することができる。
【先行技術文献】
【特許文献】
【０００３】
【特許文献１】特開２０１２−０５９２７４号公報
【発明の概要】
【発明が解決しようとする課題】
【０００４】
しかしながら、特許文献１では、搭乗者の車酔いを検出してから車酔い状態に応じた自動運転制御を行うため、車酔いを起こさないようにするためには、改善の余地がある。
【０００５】
本発明は、上記事実を考慮して成されたもので、乗員の車酔いの発生を抑制することを目的とする。
【課題を解決するための手段】
【０００６】
上記目的を達成するために請求項１に記載の発明は、車両の周辺情報及び車両の状態を各々検出する複数の検出部と、地図情報を格納する格納部と、前記検出部によって検出された前記周辺情報と前記格納部に格納された地図情報とに基づいて、予め設定された目標ルートに沿った走行計画を生成し、生成した前記走行計画に従って車両が自立走行するよう運転を制御する運転制御部と、車両の状態を乗員に報知する報知部と、前記走行計画に基づいて、予め定めた時間後に車両に発生する車両前後方向加速度、車両左右方向加速度、及び車両上下方向加速度を車両の状態として予測し、予測結果を報知するよう前記報知部を制御し、前記予め定めた時間よりも短い時間内に加速度が発生することが予測された場合に、前記予め定めた時間後に加速度を報知する報知方法とは異なる方法で前記予測結果を報知するよう前記報知部を制御する制御部と、を備える。
【０００７】
請求項１に記載の発明によれば、複数の検出部では、車両の周辺情報及び車両の状態の各々が検出され、格納部には地図情報が格納される。
【０００８】
運転制御部では、検出部によって検出された周辺情報と格納部に格納された地図情報とに基づいて、予め設定された目標ルートに沿った走行計画を生成し、生成した走行計画に従って車両が自立走行するよう運転が制御される。
【０００９】
報知部では、車両の状態が乗員に報知され、制御部では、走行計画に基づいて予め定めた時間後に車両に発生する車両前後方向加速度、車両左右方向加速度、及び車両上下方向加速度を車両の状態として予測し、予測結果を報知するよう報知部が制御される。これによって、乗員が加速度の変化に対して予め心構えできるため、車酔いの発生を抑制できる。
【００１０】
また、制御部では、予め定めた時間よりも短い時間内に加速度が発生することが予測された場合には、予め定めた時間後に加速度を報知する報知方法とは異なる方法で予測結果を報知するよう報知部が制御される。これにより、乗員に通常より短いタイミングで加速度変化が発生することを知らせ、より車酔いの発生を抑制することができる。
【発明の効果】
【００１１】
以上説明したように本発明によれば、乗員の車酔いの発生を抑制することができる、という効果がある。
【図面の簡単な説明】
【００１２】
【図１】本実施形態に係る車両用表示装置を含む車両用制御装置の構成を示すブロック図である。
【図２】（Ａ）は前車の急減速している様子を示す図であり、（Ｂ）は所定時間内に車線変更による追い越しを計画した様子を示す図である。
【図３】本実施形態に係る車両用制御装置の自動運転制御ＥＣＵで行われる車酔いの発生を抑制する制御の一例を示すフローチャートである。
【発明を実施するための形態】
【００１３】
以下、図面を参照して本発明の実施の形態の一例を詳細に説明する。図１は、本実施形態に係る車両用表示装置を含む車両用制御装置の構成を示すブロック図である。
【００１４】
車両用制御装置１０は、通信制御部１２、外部センサ１４、ＧＰＳ（Global Positioning System）受信部１６、内部センサ１８、地図データベース２０、及びナビゲーションシステム２２を含んで構成されている。通信制御部１２、外部センサ１４、ＧＰＳ受信部１６、内部センサ１８、地図データベース２０、及びナビゲーションシステム２２は、ＣＡＮ（Controller Area Network）等の車載ネットワーク２４に各々接続されている。車載ネットワーク２４には、運転制御部及び制御部としての自動運転制御ＥＣＵ（Electronic Control Unit）２６、並びに報知部としてのＨＭＩ（Human Machine Interface）２８の各々が更に接続されている。なお、通信制御部１２、外部センサ１４、ＧＰＳ受信部１６、及び内部センサ１８は検出部に対応し、地図データベース２０は格納部に対応する。
【００１５】
通信制御部１２は、車両と該車両の外部との間で車両の周辺情報等を授受する。例えば、道路側に設けられたインフラ（例えば、光ビーコン等）と通信を行い、交通情報等の周辺情報を受信する。また、通信制御部１２は、クラウド等の外部のサーバなどと携帯電話通信網等のネットワークを介して通信する。通信制御部１２は、取得した周辺情報等の情報を車載ネットワーク２４に接続された機器へ送信可能とされている。
【００１６】
外部センサ１４は、車両の周辺情報である外部状況を検出する。外部センサ１４は、カメラ、レーダー（Radar）、及びライダー（LIDER：Laser Imaging Detection and Ranging）のうち少なくとも一つを含む。カメラは、例えば、車両のフロントガラス上部の室内側に設けられ、車両の外部状況を撮影することにより撮像情報を取得する。カメラは、取得した撮影情報を車載ネットワーク２４に接続された機器へ送信可能とされている。カメラは、単眼カメラであってもよく、ステレオカメラであってもよい。ステレオカメラの場合、両眼視差を再現するように配置された二つの撮像部を有する。ステレオカメラの撮像情報には、奥行き方向の情報も含まる。レーダーは、電波（例えばミリ波）を車両の周囲に送信し、障害物で反射された電波を受信することで障害物を検出し、検出した障害物情報を車載ネットワーク２４に接続された機器へ送信可能とされている。ライダーは、光を車両の周囲に送信し、障害物で反射された光を受信することで反射点までの距離を計測し、障害物を検出する。ライダーは、検出した障害物情報を車載ネットワーク２４に接続された機器へ送信可能とされている。なお、カメラ、ライダー及びレーダーは、必ずしも重複して備える必要はない。
【００１７】
ＧＰＳ受信部１６は、３個以上のＧＰＳ衛星から信号を受信することにより、車両の位置（例えば車両の緯度及び経度）を測位する。ＧＰＳ受信部１６は、測位した車両の位置情報を車載ネットワーク２４に接続された機器へ送信可能とされている。なお、ＧＰＳ受信部１６に代えて、車両の緯度及び経度が特定できる他の手段を用いてもよい。また、車両の方位を測定する機能を持たせることは、センサの測定結果と後述する地図情報との照合のために好ましい。
【００１８】
内部センサ１８は、車両の走行時の各種物理量を検出することにより走行状態等の車両状況を検出する。内部センサ１８は、例えば、車速センサ、加速度センサ、及びヨーレートセンサのうち少なくとも一つを含む。車速センサは、例えば、車両の車輪又は車輪と一体に回転するハブやロータ、ドライブシャフト等に設けられ、車輪の回転速度を検出することで車速を検出する。車速センサは、検出した車速情報（車輪速情報）を車載ネットワーク２４に接続された機器へ送信可能とされている。加速度センサは、車両の加減速や、旋回、衝突等によって発生する加速度を検出する。加速度センサは、例えば、車両の前後方向の加速度を検出する前後加速度センサと、車両の左右方向（車幅方向）の横加速度を検出する横加速度センサと、車両の上下方向の加速度を検出する上下加速度センサと、を含む。加速度センサは、車両の加速度情報を車載ネットワーク２４に接続された機器へ送信可能とされている。ヨーレートセンサは、車両の重心の鉛直軸周りのヨーレート（回転角速度）を検出する。ヨーレートセンサとしては、例えばジャイロセンサを用いることができる。ヨーレートセンサは、検出したヨーレート情報を車載ネットワーク２４に接続された機器へ送信可能とされている。
【００１９】
地図データベース２０は、地図情報を備えたデータベースである。地図データベース２０は、例えば、車両に搭載されたＨＤＤ［Hard disk drive］内に記憶される。地図情報には、例えば、道路の位置情報、道路形状の情報（例えばカーブ、直線部の種別、カーブの曲率等）、交差点及び分岐点の位置情報が含まれる。さらに、建物や壁等の遮蔽構造物の位置情報、ＳＬＡＭ（Simultaneous Localization and Mapping）技術を使用するために、地図情報に外部センサ１４の出力信号を含ませてもよい。なお、地図データベース２０は、車両と通信可能な情報処理センター等の施設のコンピュータに記憶してもよい。
【００２０】
ナビゲーションシステム２２は、車両の運転者によって設定された目的地まで、車両の運転者に対して案内を行う。ナビゲーションシステム２２は、ＧＰＳ受信部１６によって測位された車両の位置情報と地図データベース２０の地図情報とに基づいて、車両の走行するルートを算出する。ルートは、複数車線の区間において好適な車線を特定したものであってもよい。ナビゲーションシステム２２は、例えば、車両の位置から目的地に至るまでの目標ルートを演算し、ディスプレイへの表示及びスピーカの音声出力により目標ルートを乗員に報知する。ナビゲーションシステム２２は、車両の目標ルートの情報を車載ネットワーク２４に接続された機器へ送信可能とされている。なお、ナビゲーションシステム２２の機能は、車両と通信可能な情報処理センター等の施設のコンピュータに格納してもよい。
【００２１】
自動運転制御ＥＣＵ２６は、ＣＰＵ（Central Processing Unit）、ＲＯＭ（Read Only Memory）、及びＲＡＭ（Random Access Memory）等を含むマイクロコンピュータで構成されている。また、自動運転制御ＥＣＵ２６には、アクチュエータ３４、補助機器３６、制動灯３８、及びＨＭＩ２８が接続されている。
【００２２】
自動運転制御ＥＣＵ２６は、ＲＯＭに予め記憶されたプログラムをＲＡＭに展開してＣＰＵが実行することで、アクチュエータ３４、補助機器３６、制動灯３８、及びＨＭＩ２８等の動作を制御して自動運転を行う。なお、自動運転制御ＥＣＵ２６は、複数の電子制御ユニットから構成されていてもよい。
【００２３】
アクチュエータ３４は、車両の自動運転制御を行う場合の制御対象であり、自動運転制御ＥＣＵ２６がアクチュエータ３４の動作を制御することにより車両の走行制御を行う。具体的には、アクチュエータ３４は、スロットルアクチュエータ、ブレーキアクチュエータ、及び操舵アクチュエータを少なくとも含む。スロットルアクチュエータは、自動運転制御ＥＣＵ２６の指示に応じてエンジンに対する空気の供給量（スロットル開度）を制御し、車両の駆動力を制御する。なお、車両がハイブリッド車又は電気自動車である場合には、スロットルアクチュエータを含まず、動力源としてのモータに自動運転制御ＥＣＵ２６の指示が入力されて当該駆動力が制御される。ブレーキアクチュエータは、自動運転制御ＥＣＵ２６の指示に応じてブレーキシステムを制御し、車両の車輪へ付与する制動力を制御すると共に、制動灯３８の点灯を制御する。ブレーキシステムとしては、例えば、液圧ブレーキシステムを用いることができる。操舵アクチュエータは、電動パワーステアリングシステムのうち操舵トルクを制御するアシストモータの駆動を、自動運転制御ＥＣＵ２６の指示に応じて制御する。これにより、操舵アクチュエータは、車両の操舵トルクを制御する。補助機器３６は、通常、車両の運転者によって操作され得る機器である。補助機器３６は、アクチュエータ３４に含まれない機器を総称したものである。ここでの補助機器３６は、例えば、方向指示灯や、前照灯、ワイパー等を含む。
【００２４】
詳細には、自動運転制御ＥＣＵ２６は、車両位置認識部４０、外部状況認識部４２、走行状態認識部４４、走行計画生成部４６、走行制御部４８、及び補助機器制御部５０を含んで構成されている。自動運転制御ＥＣＵ２６は、上記各部により車両の周辺情報と地図情報とに基づいて予め設定された目標ルートに沿った走行計画を生成し、生成した走行計画に従って車両が自立走行するよう運転を制御する。
【００２５】
車両位置認識部４０は、ＧＰＳ受信部１６で受信した車両の位置情報、及び地図データベース４の地図情報に基づいて、地図上における車両の位置（以下、「車両位置」という）を認識する。なお、車両位置認識部４０は、ナビゲーションシステム２２で用いられる車両位置を該ナビゲーションシステム２２から取得して認識してもよい。車両位置認識部４０は、道路等の外部に設置されたセンサで車両位置が測定され得る場合、このセンサから通信によって車両位置を取得してもよい。
【００２６】
外部状況認識部４２は、通信制御部１２が取得した周辺情報や外部センサ１４の検出結果（例えば、カメラの撮像情報や、レーダーの障害物情報、ライダーの障害物情報等）に基づいて、車両の外部状況を認識する。外部状況は、例えば、車両に対する走行車線の白線の位置や、車線中心の位置、道路幅、道路形状、車両の周辺の障害物の状況等を含む。なお、道路形状としては、例えば、走行車線の曲率、外部センサ１４の見通し推定に有効な路面の勾配変化、うねり等がある。また、車両の周辺の障害物の状況としては、例えば、固定障害物と移動障害物を区別する情報、車両に対する障害物の位置、車両に対する障害物の移動方向、車両に対する障害物の相対速度等がある。また、外部センサ１４の検出結果と地図情報とを照合することにより、ＧＰＳ受信部１６等で取得される車両の位置及び方向の精度を補うことは好適である。
【００２７】
走行状態認識部４４は、内部センサ１８の検出結果（例えば、車速センサの車速情報、加速度センサの加速度情報、ヨーレートセンサのヨーレート情報等）に基づいて、車両の走行状態を認識する。車両の走行状態には、例えば、車速、加速度、ヨーレートが含まれる。
【００２８】
走行計画生成部４６は、例えば、ナビゲーションシステム２２で演算された目標ルート、車両位置認識部４０で認識された車両位置、及び、外部状況認識部４２で認識された車両の外部状況（車両位置、方位を含む）に基づいて、車両の進路を生成する。生成する進路としては、目標ルートにおいて車両が進む軌跡を生成する。走行計画生成部４６は、目標ルート上において車両が安全、法令順守、走行効率等の基準に照らして好適に走行するように進路を生成する。このとき、走行計画生成部４６は、車両の周辺の障害物の状況に基づき、障害物との接触を回避するように車両の進路を生成することはいうまでもない。なお、上記目標ルートには、例えば、特許５３８２２１８号公報（WO2011/158347号公報）や特開２０１１−１６２１３２号公報等における道なり走行のように、目的地の設定が運転者から明示的に行われていない際に、外部状況や地図情報に基づき自動的に生成される走行ルートも含まれる。走行計画生成部４６は、生成した進路に応じた走行計画を生成する。すなわち、走行計画生成部４６は、少なくとも車両の周辺情報である外部状況と地図データベース２０の地図情報とに基づいて、予め設定された目標ルートに沿った走行計画を生成する。走行計画生成部４６は、好ましくは、生成する走行計画を、車両の進路を車両に固定された座標系での目標位置ｐと各目標点での速度ｖとの二つの要素からなる組、すなわち配位座標（ｐ、ｖ）を複数持つものとして出力する。ここで、それぞれの目標位置ｐは、少なくとも車両に固定された座標系でのｘ座標、ｙ座標の位置もしくはそれと等価な情報を有する。なお、走行計画は、車両の挙動を記すものであれば特に限定されるものではない。走行計画は、例えば、速度ｖの代わりに目標時刻ｔを用いてもよいし、目標時刻ｔとその時点での車両の方位とを付加したものでもよい。また、通常、走行計画は、概ね現在時刻から数秒先の将来のデータで充分であるが、交差点の右折、車両の追い越し等の状況によっては数十秒のデータが必要となるので、走行計画の配位座標の数は可変、且つ配位座標間の距離も可変とすることが好ましい。さらに、配位座標をつなぐ曲線をスプライン関数等で近似し、当該曲線のパラメータを走行計画としてもよい。走行計画の生成としては、車両の挙動を記すことができるものであれば、任意の公知方法を用いることができる。また、走行計画は、目標ルートに沿った進路を車両が走行する際における、車両の車速、加減速度及び操舵トルク等の推移を示すデータとしてもよい。走行計画は、車両の速度パターン、加減速度パターン及び操舵パターンを含んでいてもよい。ここでの走行計画生成部４６は、旅行時間（車両が目的地に到着するまでに要される所要時間）が最も小さくなるように、走行計画を生成してもよい。ちなみに、速度パターンとは、例えば、進路上に所定間隔（例えば１ｍ）で設定された目標制御位置に対して、目標制御位置ごとに時間に関連付けられて設定された目標車速からなるデータである。加減速度パターンとは、例えば、進路上に所定間隔（例えば１ｍ）で設定された目標制御位置に対して、目標制御位置ごとに時間に関連付けられて設定された目標加減速度からなるデータである。操舵パターンと��、例えば、進路上に所定間隔（例えば１ｍ）で設定された目標制御位置に対して、目標制御位置ごとに時間に関連付けられて設定された目標操舵トルクからなるデータである
【００２９】
走行制御部４８は、走行計画生成部４６で生成した走行計画に基づいて車両の走行を自動で制御する。走行制御部４８は、走行計画に応じた制御信号をアクチュエータ３４に出力する。これにより、走行制御部４８は、走行計画に沿って車両が自立走行するように、車両の運転を制御する。また、自立走行するために、走行制御部４８は、車両の走行を制御する際に、車両位置認識部４０、外部状況認識部４２、及び走行状態認識部４４の各認識結果を監視しながら走行計画に従って車両の走行を制御するようになっている。
【００３０】
補助機器制御部５０は、走行計画生成部４６で生成した走行計画にＨＭＩ２８から出力される信号を統合して補助機器３６を制御する。
【００３１】
ＨＭＩ２８は、乗員への車両の状態等の各種情報の報知と、乗員からの情報の入力とを行う。ＨＭＩ２８は、例えば、方向指示灯や、前照灯、ワイパー等を操作するためのスイッチや、各種情報を表示するディスプレイ、操作入力を行うための操作部、各種情報を報知するための発光デバイス、各種情報を報知するスピーカ等を含む。
【００３２】
また、自動運転制御ＥＣＵ２６では、ＨＭＩ２８を制御することにより、車酔いの発生を抑制する制御を行うようになっている。本実施形態では、車酔いし難くする為には、車両の挙動を事前に乗員へ告知することにより、乗員が心理的に安心して構えることができることが効果的であることから、自動運転制御ＥＣＵ２６が、所定時間後の加速度の方向や力を乗員に報知する制御を行う。なお、所定時間は、自動運転制御ＥＣＵ２６の処理速度等によって予め定めた時間であり、適宜設定可能な時間としてもよい。
【００３３】
具体的には、走行計画から車両に発生する加速度が予測できるので、自動運転制御ＥＣＵ２６が、走行制御部４８が走行計画生成部４６で生成した走行計画に基づいて車両の走行を自動で制御する際に、乗員にかかる加速度を予測する。そして、自動運転制御ＥＣＵ２６は、予測した加速度の大きさ及び方向（車両前後方向、車両左右方向、及び車両上下方向）をＨＭＩ２８を制御して乗員に報知するようになっている。これにより、乗員が加速度の変化に対して予め心構えできるため、車酔いの発生を抑制できる。このとき、報知するタイミングは、予測した加速度が発生するタイミングの所定時間前に報知し、報知タイミングを一定にすることで、乗員が車両の挙動のタイミングをつかみやすくしている。
【００３４】
さらに、自動運転制御ＥＣＵ２６は、交通事情等により所定時間よりも短い時間内に加速度の発生を予測した場合には、異なる報知方法で乗員に報知する。例えば、図２（Ａ）に示すように、前車の急減速を検出し、図２（Ｂ）に示すように、走行計画生成部４６が所定時間内に車線変更による追い越しを計画する場合には、所定時間内に乗員にかかる加速度を予め定めた通常表示とは異なる表示方法（例えば、表示色を変更する等）により報知する。これにより、乗員に通常より短いタイミングで加速度変化が発生することを知らせ、より車酔いの発生を抑制することができる。
【００３５】
続いて、上述のように構成された本実施形態に係る車両用制御装置１０で行われる処理について説明する。図３は、本実施形態に係る車両用制御装置１０の自動運転制御ＥＣＵ２６で行われる車酔いの発生を抑制する制御の一例を示すフローチャートである。なお、図３の処理は、例えば、図示しないイグニッションスイッチがオンした場合に開始する。
【００３６】
ステップ１００では、車両位置認識部４０が、ＧＰＳ受信部１６で受信した車両の位置情報、及び地図データベース４の地図情報に基づいて、地図上における車両位置を認識してステップ１０２へ移行する。
【００３７】
ステップ１０２では、外部状況認識部４２が、通信制御部１２が取得した周辺情報や外部センサ１４の検出結果に基づいて、車両の外部状況を認識してステップ１０４へ移行する。
【００３８】
ステップ１０４では、走行状態認識部４４が、内部センサ１８の検出結果に基づいて、車両の走行状態を認識してステップ１０６へ移行する。
【００３９】
ステップ１０６では、走行計画生成部４６が、ナビゲーションシステム２２で演算された目標ルート、車両位置認識部４０で認識された車両位置、及び、外部状況認識部４２で認識された車両の外部状況に基づいて走行計画を生成してステップ１０８へ移行する。
【００４０】
ステップ１０８では、自動運転制御ＥＣＵ２６が、生成した走行計画から乗員にかかる加速度を予測してステップ１１０へ移行する。
【００４１】
ステップ１１０では、自動運転制御ＥＣＵ２６が、所定値以上の加速度が予測されたか否かを判定する。該判定は、車酔いに影響しない大きさを所定値として、予測した加速度が所定値以上であるか否かを判定する。該判定が肯定された場合にはステップ１１２へ移行し、否定された場合にはステップ１１８へ移行する。なお、所定値は、予め定めた値を適用してもよいが、乗員によって設定可能としてもよい。設定可能とする場合には、例えば、乗員がＨＭＩ２８等を操作することにより加速度の値を設定してもよい。或いは、乗員認証（例えば、カメラ等を設けて撮影して顔認証を行う等の種々の認証）を行うと共に、乗員の個人情報（車酔いし易さのレベル等）を取得して個人情報に対応する値を設定してもよい。個人情報の取得方法は、車載ネットワーク２４にデータベースを設けて個人情報を予め登録して読み出してもよい。或いは、外部のクラウド等に個人情報をデータベースとして予め登録し、通信制御部１２を介して個人情報を取得してもよい。また、ステップ１１０は省略してもよい。
【００４２】
ステップ１１２では、自動運転制御ＥＣＵ２６が、所定時間内に加速度が発生するか否かを判定し、該判定が否定された場合にはステップ１１４へ移行し、肯定された場合にステップ１１６へ移行する。
【００４３】
ステップ１１４では、自動運転制御ＥＣＵ２６が、予測した加速度を通常表示してステップ１１８へ移行する。すなわち、自動運転制御ＥＣＵ２６がＨＭＩ２８を制御して予め定めた所定時間後の加速度の大きさ及び方向を表示することにより、乗員が加速度の変化に対して予め心構えできるため、車酔いの発生を抑制できる。なお、加速度の表示方法としては、数値及び方向を文字等によって表示してもよい。或いは、車両の前後、左右、及び上下に対応したバーグラフ等を表示し、加速度に対応する方向のバーグラフに対して加速度に大きさに対応する長さのバーグラフを表示するようにグラフィック表示してもよい。
【００４４】
一方、ステップ１１６では、自動運転制御ＥＣＵ２６が、予測した加速度を通常表示とは異なる表示方法により表示してステップ１１８へ移行する。すなわち、通常表示とは異なる表示方法（例えば、表示色を変更する等）により報知することにより、乗員に通常より短いタイミングで加速度変化が発生することを報知し、より車酔いの発生を抑制することができる。
【００４５】
ステップ１１８では、自動運転制御ＥＣＵ２６が、当該処理を終了するか否かを判定する。該判定は、例えば、図示しないイグニッションスイッチがオフされたか否か等を判定し、該判定が否定された場合にはステップ１００に戻って上述の処理を繰り返し、判定が肯定された場合には一連の処理を終了する。
【００４６】
このように、本実施形態では、自動運転制御ＥＣＵ２６が、自動運転の走行計画に基づいて車両の走行を自動で制御する際に、乗員にかかる加速度を予測し、予測した加速度をＨＭＩ２８を制御して乗員に報知することにより、乗員の車酔いの発生を抑制できる。
【００４７】
また、自動運転制御ＥＣＵ２６が、交通事情等により所定時間内に加速度の発生を予測した場合に、通常の報知方法とは異なる報知方法で乗員に報知することにより、加速度変化が短時間で発生することを知らせ、より車酔いの発生を抑制することができる。
【００４８】
本実施形態では、自動運転中は、乗員全員に対して車酔いの発生を抑制することができ、手動運転中においても、運転者以外の乗員は車両の加速度の変化を予測できないため、加速度を知ることにより車酔いの防止効果がある。
【００４９】
なお、上記の実施形態では、加速度を報知する方法として、加速度を表示する例を一例として説明したが、報知方法はこれに限るものではない。例えば、視覚（表示以外の光等）や、聴覚（音や音声等）、触覚（風邪や振動等）を使った報知を用いてもよい。視覚による報知方法としては、表示の他に、発光デバイスを用いてもよい。発光デバイスを用いる場合、前席用としてインストルメントパネルやフロントピラーに設け、後席用として前席のシートバックやセンタピラー等に設けてもよい。例えば、発光デバイスの点灯位置で加速度の方向、点滅パターンや明るさでタイミングや加速度の大きさ等を報知できる。また、聴覚による報知方法としては、スピーカやブザー等を適用してもよい。例えば、音や音声ガイダンスで加速度の方向、ボリュームや音色で加速度の大きさやタイミング等を報知できる。また、触覚による報知方法としては、空調や風発生器を適用してもよい。例えば、天井や、ピラー、インストルメントパネル、前席シートバック裏等に風発生器等を設け、風が乗員にあたる場所で加速度の方向、風の強さで加速度の大きさやタイミング等を報知できる。また、触覚による報知方法としては、振動や、温度変化等によって報知してもよい。例えば、シートや、アームレスト、ヘッドレスト、フットレスト等に振動発生器等を設け、振動や動きで加速度の方向、振動パターンや動きの大きさで加速度の大きさやタイミングを報知できる。
【００５０】
また、上記の実施形態における自動運転制御ＥＣＵ２６で行われる処理は、プログラムを実行することにより行われるソフトウエア処理として説明したが、ハードウエアで行う処理としてもよい。或いは、ソフトウエア及びハードウエアの双方を組み合わせた処理としてもよい。また、ＲＯＭに記憶されるプログラムは、各種記憶媒体に記憶して流通させるようにしてもよい。
【００５１】
さらに、本発明は、上記に限定されるものでなく、上記以外にも、その主旨を逸脱しない範囲内において種々変形して実施可能であることは勿論である。
【符号の説明】
【００５２】
１０    車両用制御装置
１２    通信制御部（検出部）
１４    外部センサ（検出部）
１６    ＧＰＳ受信部（検出部）
１８    内部センサ（検出部）
２０    地図データベース（格納部）
２６    自動運転制御ＥＣＵ（運転制御部及び制御部）
２８    ＨＭＩ（報知部）
【図１】
2017076232.tif 000003
【図２】
2017076232.tif 000004
【図３】
2017076232.tif 000005